(57)【要約】【課題】問題がある基板について、故障発生時に、システムへの影響度、冗長性等の問題を予め定めた基準しきい値に基づき判断し、適正な予防処置を講じる。【解決手段】問題ロット情報を受信した場合に、構成部品情報記憶部１を参照することで、当該問題ロット情報に含まれている部品のキーコードと一致するキーコードが構成部品情報記憶部１に存在するか判定し、当該キーコードが存在する場合に、ロケーション情報記憶部２を参照して、対応する基板コードに紐付けられている冗長性及びシステム影響度等の特性情報を示すシステム影響レベルが、予め定められている基準しきい値を越えたか否かに基づき予防処置を実施する管理制御部３とを具備する。【選択図】図１
2020119132.tif 000002
【特許請求の範囲】
【請求項１】
各基板に搭載されている部品のキーコードを基板コードと紐付けて保持する構成部品情報記憶部と、
各基板の冗長性及びシステム影響度等の特性情報を基板コードと紐付けて保持するロケーション情報記憶部と、
問題ロット情報を受信した場合に、前記構成部品情報記憶部を参照することで、当該問題ロット情報に含まれている部品のキーコードと一致するキーコードが前記構成部品情報記憶部に存在するか判定し、当該キーコードが存在する場合に、前記ロケーション情報記憶部を参照して、対応する基板コードに紐付けられている冗長性及びシステム影響度等の特性情報を示すシステム影響レベルが、予め定められている基準しきい値を越えたか否かに基づき予防処置を実施する管理制御部と、を具備することを特徴とするコンピュータシステムの管理装置。
【請求項２】
前記管理制御部には、前記予防処置を実施する場合に、前記基板コードに対応する基板にて電源をＯＦＦする制御ＩＣが接続されることを特徴とする請求項１に記載のコンピュータシステムの管理装置。
【請求項３】
前記管理制御部には、保守員によりアクセスされ、かつ対象部品の品名とロット番号とを含む問題ロット情報が出力されるリモートサーバが接続されることを特徴とする請求項１又は２のいずれか１項に記載のコンピュータシステムの管理装置。
【請求項４】
前記管理制御部は、冗長性及びシステム影響度等の特性情報を示すシステム影響レベルがしきい値以下の場合に交換推奨アラートを表示し、前記リモートサーバに対して問題ロット発見通報を送信することを特徴とする請求項３に記載のコンピュータシステムの管理装置。
【請求項５】
各基板に搭載されている部品のキーコードを基板コードと紐付けて保持する構成部品情報記憶段階と、
各基板の冗長性及びシステム影響度等の特性情報を基板コードと紐付けて保持するロケーション情報記憶段階と、
問題ロット情報を受信した場合に、当該問題ロット情報に含まれている部品のキーコードと一致するキーコードが予め記憶した情報内に存在するか判定し、当該キーコードが存在する場合に、対応する基板コードに紐付けられている冗長性及びシステム影響度等の特性情報を示すシステム影響レベルが、予め定められている基準しきい値を越えたか否かに基づき予防処置を実施する管理段階と、を有することを特徴とするコンピュータシステムの管理方法。
【発明の詳細な説明】
【技術分野】
【０００１】
本発明は、製造事業者、保守事業者とのサポート契約等に基づきコンピュータシステムを保守管理することができる、コンピュータシステムにおける管理装置及び管理方法に関する。
【背景技術】
【０００２】
コンピュータシステムを構成する部品の保守交換に関する技術として特許文献１及び２が知られている。
特許文献１に示される管理システムでは、端末装置とネットワークを介して接続されかつデバイスの顧客情報が格納された顧客情報データベースと、デバイスに搭載された部品情報と各部品について交換が推奨される部品であることを表す要交換情報が格納された製品情報データベースと、を有するとの記載がある。
さらに、この管理システムでは、端末から送信される検索条件に基づくデバイスサポート情報の要求に応答して、検索条件に対応するデバイス識別情報とその顧客情報とを顧客データベースから取得すると共に、当該取得したデバイス識別情報の要交換情報をもつ部品情報を製品情報データベースから取得するデバイスサポート情報取得手段を有する。
【０００３】
なお、要交換情報として、その部品交換の緊急性によって緊急度が設定可能であり、例えば、発生頻度が高くその影響が大きい不具合を持つ部品の緊急度を高くし、反対に発生頻度が低く影響も小さい不具合を持つ部品の緊急度は低いものとする、との記載がある。
【０００４】
また、特許文献２に示される情報処理装置では、制御パッケージが故障又は異常となった場合に、制御部に対して制御信号により障害通知を発信させる。そして、制御部では、障害通知を示す制御信号に基づき、該当スロット用給電線への電源供給を自動的に停止させる。
【先行技術文献】
【特許文献】
【０００５】
【特許文献１】特開２０１１-１５０５６５号公報
【特許文献２】特開平０４-３３３１１８号公報
【発明の概要】
【発明が解決しようとする課題】
【０００６】
ところで、特許文献１及び２では、発生頻度が高くその影響の大きい部品についての部品交換の緊急度を、過去の交換情報についてのデータベースに含めるとの記載はあるものの、現在あるいは将来発生する問題のシステムへの影響度を考慮した技術ではない。
すなわち、特許文献１及び２は、故障発生時のリスクに対する予防処置が行われないことから、突発的な故障によるユーザ業務への影響を事前に防ぐことができず、この点において改善されることが期待されていた。
【０００７】
この発明は、上述した事情に鑑みてなされたものであって、問題がある基板について、故障発生時に、システムへの影響度・冗長性等を示すシステム影響レベルを予め定めた基準しきい値に基づき判断し、これにより適正な予防処置を講じることができるコンピュータシステムの管理装置及び管理方法を提供する。
【課題を解決するための手段】
【０００８】
上記課題を解決するために、この発明は以下の手段を提案している。
本発明の第１態様に示すコンピュータシステムの管理装置では、各基板に搭載されている部品のキーコードを基板コードと紐付けて保持する構成部品情報記憶部と、各基板の冗長性及びシステム影響度等の特性情報を基板コードと紐付けて保持するロケーション情報記憶部と、問題ロット情報を受信した場合に、前記構成部品情報記憶部を参照することで、当該問題ロット情報に含まれている部品のキーコードと一致するキーコードが構成部品情報記憶部に存在するか判定し、当該キーコードが存在する場合に、前記ロケーション情報記憶部を参照して、対応する基板コードに紐付けられている冗長性及びシステム影響度等の特性情報を示すシステム影響レベルが、予め定められている基準しきい値を越えたか否かに基づき予防処置を実施する管理制御部と、を具備することを特徴とする。
【０００９】
本発明の第２態様に示すコンピュータシステムの管理方法では、各基板に搭載されている部品のキーコードを基板コードと紐付けて保持する構成部品情報記憶段階と、各基板の冗長性及びシステム影響度等の特性情報を基板コードと紐付けて保持するロケーション情報記憶段階と、問題ロット情報を受信した場合に、当該問題ロット情報に含まれている部品のキーコードと一致するキーコードが予め記憶した情報内に存在するか判定し、当該キーコードが存在する場合に、対応する基板コードに紐付けられている冗長性及びシステム影響度等の特性情報を示すシステム影響レベルが、予め定められている基準しきい値を越えたか否かに基づき予防処置を実施する管理段階と、を有することを特徴とする。
【発明の効果】
【００１０】
本発明によれば、問題がある基板について、システムへの影響度、冗長性等を示すシステム影響レベルが、予め定めた基準しきい値を越えたか否かに基づき判断することにより、適正な予防処置を講じることができる。
【図面の簡単な説明】
【００１１】
【図１】本発明に係るコンピュータシステムの管理装置を示す図である。
【図２】本発明の実施形態に係るコンピュータシステムの管理装置を示す図である。
【図３】部品情報テーブルの例を示す図であって、（Ａ）は基板情報、（Ｂ）は基板部品情報をそれぞれ示している。
【図４】キーコードテーブルの例を示す図である。
【図５】構成部品情報の例を示す図である。
【図６】ロケーション情報の例を示す図である。
【図７】問題ロット情報の例を示す図である。
【図８】管理モジュールの動作フローを示す図である。
【発明を実施するための形態】
【００１２】
本発明に係るコンピュータシステムＣの管理装置Ａについて図１を参照して説明する。
この管理装置Ａは、構成部品情報記憶部１と、ロケーション情報記憶部２と、管理制御部３とを主な構成要素とする。
【００１３】
構成部品情報記憶部１は、各基板Ｂに搭載されている部品のキーコードを基板コードと紐付けて保持するために設けられている。
ロケーション情報記憶部２は、各基板Ｂの冗長性及びシステム影響度等の特性情報を基板コードと紐付けて保持するために設けられている。
【００１４】
管理制御部３は、外部のリモートサーバ（図示略）等から問題ロット情報４を受信した場合に、構成部品情報記憶部１を参照することで、当該問題ロット情報４に含まれている部品のキーコードと一致するキーコードが構成部品情報記憶部１に存在するか否かを判定する。
さらに、管理制御部３では、問題ロット情報４に含まれている部品のキーコードと一致するキーコードが構成部品情報記憶部１に存在する場合に、ロケーション情報記憶部２を参照して、対応する基板コードに紐付けられている冗長性及びシステム影響度等の特性情報を示すシステム影響レベルが、予め定められている基準しきい値を越えたか否かに基づき予防処置信号５の出力を実施する。
【００１５】
すなわち、以上のように構成された管理装置Ａでは、故障が生じた／故障の生じる恐れを有する問題がある基板Ｂについて、システムへの影響度、冗長性等を示すシステム影響レベルが、予め定めた基準しきい値を越えたか否かに基づき判断し、これにより適正な予防処置を講じることが可能となる。
なお、問題ロット情報４としては、異常発生時のショート故障、オープン故障、疑似エラー多発といった現象がある。
また、予防処置としては、対象部品を論理的・電気的に切り離すことで、突発的な故障発生によってユーザ業務が影響を受けることを事前に防ぐこと等がある。
【００１６】
（実施形態）
本発明の実施形態に係るコンピュータシステムＣ１の管理装置Ａ１ついて図２〜図８を参照して説明する。
【００１７】
図２は本実施形態に係わる管理装置Ａ１の全体構成図であって、ユーザサイト９１に位置するコンピュータシステムＣ１と、外部領域９０に位置するリモートサーバ１０とを具備する。
【００１８】
コンピュータシステムＣ１は、全体を制御する管理モジュール２０と、管理モジュール２０に接続された複数の基板３０, ４０, ５０とをシステム本体９２内に有する。
【００１９】
基板３０上には部品情報メモリ３１、制御ＩＣ３３、搭載部品３０１, ３０２ などが実装されている。
部品情報メモリ３１は不揮発メモリであり、部品情報テーブル３１０が格納されている。
部品情報テーブル３１０には、図３（Ａ）及び（Ｂ）に示されるような、「基板コード、シリアル番号等の基本情報３１３とともに、基板３０上に実装されている各搭載部品３０１,３０２等の品名やロット情報を一意に特定できるキーコード３１１と、各部品の基板上の実装位置を示すロケーションコード３１２が記録されている。
【００２０】
また、この部品情報メモリ３１は、基板３０がコンピュータシステムＣ１へ組み込まれた際に、格納している部品情報テーブル３１０のデータを、管理モジュール２０へ送信する機能を有している。
なお、ユーザは、キーコード３１１から部品の詳細情報は特定することはできず、保守員が保守作業時にリモートサーバ１０に格納されたキーコードテーブル１０１にアクセスすることで、搭載部品の詳細情報を確認することができる。図４にキーコードテーブル１０１の例を示す。
【００２１】
制御ＩＣ３３は、管理モジュール２０から発行される制御命令３０ｃに基づき、基板３０上の各部品の電源ＯＮ／ＯＦＦや基板３０全体の電源ＯＮ／ＯＦＦ制御を行う。
なお、基板３０上に部品情報メモリ３１、制御ＩＣ３３、搭載部品３０１, ３０２などが実装されている例を説明したが、基板４０及び５０にも同様の構成部材が実装されている。
【００２２】
管理モジュール２０は、各基板３０, ４０, ５０上の部品情報メモリ３１より送信された構成部品情報３０ａに基づき、コンピュータシステムＣ１全体の情報を記憶する構成部品情報記憶部２０１を管理する。
また、この管理モジュール２０として、構成部品情報記憶部２０１とともに、稼働時間情報記憶部２０２、ロケーション情報記憶部２０３、予防処置実施フラグ記憶部２０４、各種処理を実行する管理制御部２１が設けられている。
なお、管理制御部２１は、対応する基板コードに紐付けられている冗長性及びシステム影響度等の特性情報を示すシステム影響レベルが、予め定められている基準しきい値を越えたか否かに基づき予防処置を実施するためのものであるが、詳細は図８を参照して後述する。
【００２３】
構成部品情報記憶部２０１としては、図５に示されるように、コンピュータシステムＣ１を構成する各基板３０,４０,５０について基板種類別の基板コード２０１１、各基板に搭載される全部品のキーコード２０１２、各部品のロケーションを示すロケーションコード２０１３、冗長性２０１４の有無などが含まれる。
なお、これら基板コード２０１１、キーコード２０１２、ロケーションコード２０１３、冗長性２０１４として示される情報は、各基板３０,４０,５０から適宜送信されるものである。
【００２４】
また、管理モジュール２０では、保守作業で基板が交換された場合や、新たに基板が追加された場合には、新たな基板から送信される構成部品情報３０，４０，５０を基に構成部品情報記憶部２０１を更新する。
また同様に、管理モジュール２０では、各基板や各部品が冗長化されているかを監視し、構成部品情報記憶部２０１の冗長性２０１４の有無を適宜更新する。
【００２５】
また、管理モジュール２０の稼働時間情報記憶部２０２ではコンピュータシステムＣ１が稼働開始してからの稼働時間を記憶する。
また、管理モジュール２０のロケーション情報記憶部２０３では、図６に示されるように、各基板２０３１のロケーションコード２０３２とともに、ロケーションコード２０３２毎に部品故障時のシステムへの影響度を示したシステム影響度２０３３を管理する。
【００２６】
また、管理モジュール２０では、保守交換時に新たな種類の基板が追加される場合、保守員はリモートサーバ１０から追加される基板の情報を反映したロケーション情報記憶部２０３を更新することができる。
さらに、管理モジュール２０は、問題ロットが発見された場合の予防処置をユーザが許可しているかを保守契約に基づいて判定する予防処置実施フラグ記憶部２０４が設けられている。
また、前述の管理モジュール２０は、ユーザや保守員に対してアラート等の情報を通知するコンソール画面等を有するが、図面では省略されている。
【００２７】
リモートサーバ１０は前述したように製品事業者や保守事業者のサイトなどの外部に位置する外部領域９０に設置される。
リモートサーバ１０には、図２に示されるように、保守員が保守作業時にアクセス可能で、各部品のキーコードから一意に特定される部品情報を記録するキーコードテーブル１０１が設けられている。
そして、このようなリモートサーバ１０では、フィールドでの故障実績や部品ベンダからの情報に基づき、管理モジュール２０に対して問題ロット情報１０ａを送信する。問題ロット情報１０ａとしては、図７に示すように、対象部品の品名とロット番号を一意に特定できるキーコード１０ａ１と、異常発生時の現象 (ショート故障、オープン故障、疑似エラー多発等)に応じたリスクレベル１０ａ２といった情報が含まれる。
【００２８】
また、リモートサーバ１０では、図２に示されるように、コンピュータシステムＣ１の構成部品に問題ロット部品が発見された場合、管理モジュール２０から問題ロット発見通報１０ｂを受信する。保守事業者は、リモートサーバ１０を経由して、問題ロット発見通報１０ｂの受信を契機として対象部品の交換作業に着手することができる。
【００２９】
次に、図８のフローチャートを参照して、問題ロット情報１０ａをリモートサーバ１０から受信した際の管理モジュール２０の管理制御部２１における動作フローについて、ステップ（Ｓ）毎に説明する。
【００３０】
〔ステップＳ８０１〕〜〔ステップＳ８０２〕
管理モジュール２０がリモートサーバ１０から問題ロット情報１０ａを受信したことを条件として（ステップＳ８０１）、ステップＳ８０２にて、問題ロット情報１０ａで通知されたキーコード１０ａ１に一致するものが構成部品情報記憶部２０１で管理する部品のキーコード２０１２の中に存在するか否かを判定する。
また、ステップＳ８０２にて、キーコードが一致せず、対象ロットの部品が存在しないと判定した場合には、ステップＳ８１１に進み本フローによる処理を終了する。
【００３１】
〔ステップＳ８０３〕
ステップＳ８０２にて、対象ロットの部品が存在した（キーコードが一致）したと判定した場合には、ステップＳ８０３にて、構成部品情報記憶部２０１で対象部品のキーコード２０１２が搭載されているロケーションコード２０１３を確認する。
さらにステップＳ８０３にて、ロケーション情報記憶部２０３から当該ロケーションコード２０３２の部品が故障した場合のシステム影響度２０３３を確認する。
そして、ステップＳ８０３にて、システム影響度２０３３と問題ロット情報１０ａのリスクレベル１０ａ２から故障発生した場合のシステム影響レベルを判定し、システム影響レベルがしきい値以上であるか否かを判定する。
【００３２】
なお、このシステム影響レベルは、システム影響度２０３３と問題ロット情報１０ａのリスクレベル１０ａ２とを数値化することで算出される。
また、ステップＳ８０３にて、システム影響レベルがしきい値以下であると判定された場合には、管理モジュール２０のコンソールに交換推奨アラートを表示し、リモートサーバ１０に対して問題ロット発見通報１０ｂを送信した後(ステップＳ８１０)、本フローによる処理を終了する（ステップＳ８１１)。
【００３３】
〔ステップＳ８０４〕
ステップＳ８０３にて、システム影響レベルがしきい値以上であると判定された場合には、ステップＳ８０４にて、予防処置実施フラグ記憶部２０４から、ユーザが予防処置の実施を許可しているか否かを判定する。
【００３４】
〔ステップＳ８０５〕
ステップＳ８０４にて、予防処置実施を許可されていると判定された場合、構成部品情報記憶部２０１の冗長性２０１４から対象部品が冗長化されているか否かを判定し（ステップＳ８０５）、ＹＥＳの場合にステップＳ８０６に進み、ＮＯの場合にステップＳ８１０に進む。
【００３５】
〔ステップＳ８０６〕
ステップＳ８０５にて冗長化されていると判断された場合に、ステップＳ８０６にて稼働時間情報記憶部２０２がしきい値以上であるか否かを判定し、ＹＥＳの場合にステップＳ８０７に進み、ＮＯの場合にステップＳ８１０に進む。
【００３６】
〔ステップＳ８０７〕
ステップＳ８０６にて稼働時間がしきい値以上であると判断された場合に、ステップＳ８０７にて故障が発生するリスクが高いと判断し、管理モジュール２０のコンソールに予防処置実施の確認メッセージを表示するとともにリモートサーバ１０へ問題ロット発見通報１０ｂを送信する。
その後、ステップＳ８０７では、確認メッセージを介してユーザに対して、業務影響が最小限となる任意のタイミングで、コンソール上で予防処置実施の許可コマンドを実行させる。
【００３７】
〔ステップＳ８０８〕
ステップＳ８０８にて、管理モジュール２０が予防処置実施の許可を確認すると、例えば、対象の基板上の制御ＩＣ３３に対して制御命令３０ｃを発行する。
制御ＩＣ３３は制御命令３０ｃに基づいて、対象部品もしくは基板３０全体に電源ＯＦＦ命令を発行し、問題ロット部品を電気的に分離させる。このとき、基板３０全体に電源ＯＦＦ命令を発行する場合には、事前に管理ソフトウェアに命令を発行し、システムからの対象基板３０の論理的な切り離しを行う。
【００３８】
〔ステップＳ８０９〕
ステップＳ８０９では、管理モジュール２０が制御命令３０ｃを発行した後に、リモートサーバ１０に対して予防処置を実行したことを通報する。そして、保守事業者は、問題ロット発見通報１０ｂ受信を契機に対象部品の交換作業に出動する。
【００３９】
〔ステップＳ８１０〕〜〔ステップＳ８１１〕
ステップＳ８０３，Ｓ８０４，Ｓ８０５，Ｓ８０６でＮＯと判定された場合には、管理モジュール２０のコンソールに交換推奨アラートを表示し、リモートサーバ１０に対して問題ロット発見通報１０ｂを送信した後(ステップＳ８１０)、本フローによる処理を終了する（ステップＳ８１１)。
【００４０】
以上のように構成されたコンピュータシステムＣ１の管理装置Ａ１では、管理制御部２１にて、保守員により管理される外部のリモートサーバ１０を経由して問題ロット情報１０ａを受信した場合に、構成部品情報記憶部２０１を参照することにより、当該問題ロット情報４に含まれているキーコードと一致するキーコードが構成部品情報記憶部２０１に存在するか否かを判定する（ステップＳ８０１〜ステップＳ８０２）。
【００４１】
このとき、管理制御部２１にて、問題ロット情報１０ａに含まれるキーコードに一致するキーコードが構成部品情報記憶部２０１に存在すると判定した場合に、ロケーション情報記憶部２０３を参照して、対応する基板コードに紐付けられている冗長性及びシステム影響度等の特性情報を示すシステム影響レベルが、予め定められている基準しきい値を越えたか否かに基づき予防処置を実施する（ステップＳ８０３〜ステップＳ８１０）。
すなわち、上記管理装置Ａ１では、故障が生じた／故障の生じる恐れを有する問題がある基板３０，４０，５０について、システムへの影響度、冗長性等を示すシステム影響レベルが、予め定めた基準しきい値を越えたか否かに基づき判断し（ステップＳ８０３〜ステップＳ８０６）、これにより適正な予防処置を講じることが可能となる。
【００４２】
また、上記管理装置Ａ１では、問題ロット部品が発見された場合、システム稼働時間と、対象部品の使用箇所に対応したシステムへの影響度に基づいて、管理モジュール２０が故障リスクを判断する。このとき、上記管理装置Ａ１では、リスクが高い場合に、管理モジュール２０に対してユーザの任意のタイミングで対象部品の論理的・電気的な切り離しを行なわせる。
すなわち、本実施形態に示される管理装置Ａ１では、コンピュータシステムＣ１内で問題ロットの対象部品が発見された際に、システムへの影響度と稼働時間からリスクを予測し、リスクが高い場合には対象部品を論理的・電気的に切り離すことで、突発的な故障発生によってユーザ業務が影響を受けることを事前に防ぐことができる。また、上記管理装置Ａ１では、ユーザの任意のタイミングで対象部品の切り離しを実行することで、ユーザ業務への影響を最小化することができる。
【００４３】
なお、上記実施形態では、図８に示される制御フローを管理モジュール２０の管理制御部２１で実施したが、その実施箇所は限定されるものではなく、各基板３０，４０，５０の制御ＩＣにて実施しても良い。
【００４４】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４５】
本発明は、製造事業者、保守事業者とのサポート契約等に基づきコンピュータシステムを保守管理することができる管理装置及び管理方法に関する。
【符号の説明】
【００４６】
１  構成部品情報記憶部
２  ロケーション情報記憶部
３  管理制御部
２１  管理制御部
３０  基板
４０  基板
５０  基板
２０１  構成部品情報記憶部
２０３  ロケーション情報記憶部
Ａ  管理装置
Ａ１  管理装置
Ｂ  基板
Ｃ  コンピュータシステム
Ｃ１  コンピュータシステム
【図１】
2020119132.tif 000003
【図２】
2020119132.tif 000004
【図３】
2020119132.tif 000005
【図４】
2020119132.tif 000006
【図５】
2020119132.tif 000007
【図６】
2020119132.tif 000008
【図７】
2020119132.tif 000009
【図８】
2020119132.tif 000010